(57)【特許請求の範囲】
【請求項１】
内部に断熱構造の商品収容庫が形成された自動販売機本体に、該自動販売機本体の前面開口を開閉する態様で設けられたものであって、
平板状の断熱材の前面を板金部材が覆うことで構成された扉本体と、
前記扉本体に形成された窓用開口を閉塞する態様で設けられ、かつ透明な断熱材料から形成された面材と
を備えた自動販売機用扉体において、
前記扉本体の前記窓用開口の下縁部に、前記面材よりも前方側であって前記板金部材の後面から離隔する態様で設けられ、かつ前記板金部材と同種類の金属材料から構成された伝熱部材を備えたことを特徴とする自動販売機用扉体。
【請求項２】
前記伝熱部材は、前記扉本体の前記窓用開口の下縁部に上方に向けて延在するよう設けられており、該下縁部から上方に向けての延在長さは、前記板金部材の該下縁部から上方に向けての延在長さよりも短いことを特徴とする請求項１に記載の自動販売機用扉体。
【請求項３】
前記扉本体の前記窓用開口の下縁部には、前記面材の下端部を挟み込む態様で支持する支持部材が設けられており、
前記伝熱部材は、前記窓用開口の下縁部を構成する断熱材の上面と前記支持部材の下面とに挟み込まれるよう設けられたことを特徴とする請求項１又は請求項２に記載の自動販売機用扉体。
【発明の詳細な説明】
【技術分野】
【０００１】
本発明は、内部に断熱構造の商品収容庫が形成された自動販売機本体に、該自動販売機本体の前面開口を開閉する態様で設けられた自動販売機用扉体に関するものである。
【背景技術】
【０００２】
従来、例えば缶入り飲料やペットボトル入り飲料等の商品を販売する自動販売機には、自動販売機本体の内部に断熱構造の商品収容庫が設けられているとともに、この商品収容庫の内部に商品を収納するための商品ラックが設けられており、商品収容庫の内部雰囲気を冷却することによって商品ラックに収納された商品を所望の冷却状態に維持するようにしている。
【０００３】
自動販売機本体には、前面扉が設けられている。前面扉は、自動販売機本体に形成された前面開口を開閉するもので、扉本体と面材とを有している。扉本体は、断熱材を有する平板状のもので、矩形状の窓用開口が形成されている。面材は、例えば断熱ガラス等により構成されるもので、扉本体の窓用開口を閉塞する態様で設けられている。
【０００４】
このような前面扉を有する自動販売機は、窓用開口を閉塞する面材を介して商品収容庫が外部より視認可能である（例えば、特許文献１参照）。
【先行技術文献】
【特許文献】
【０００５】
【特許文献１】特開平９−１１５０５１号公報
【発明の概要】
【発明が解決しようとする課題】
【０００６】
ところで、上述したような自動販売機においては、前面扉自体が断熱構造を有するものとして自動販売機本体の前面開口を開閉するようにしていたために、前面扉の前面に結露が生ずることがあった。特に、前面扉が窓用開口を閉塞する面材を介して商品収容庫を外部より視認可能な構成を有するものでは、商品収容庫の下方に冷気が集まりやすいので、前面における窓用開口の下部の結露の発生が顕著であった。
【０００７】
本発明は、上記実情に鑑みて、窓用開口の下部の前面に結露が生ずることを抑制することができる自動販売機用扉体を提供することを目的とする。
【課題を解決するための手段】
【０００８】
上記目的を達成するために、本発明に係る自動販売機用扉体は、内部に断熱構造の商品収容庫が形成された自動販売機本体に、該自動販売機本体の前面開口を開閉する態様で設けられたものであって、平板状の断熱材の前面を板金部材が覆うことで構成された扉本体と、前記扉本体に形成された窓用開口を閉塞する態様で設けられ、かつ透明な断熱材料から形成された面材とを備えた自動販売機用扉体において、前記扉本体の前記窓用開口の下縁部に、前記面材よりも前方側であって前記板金部材の後面から離隔する態様で設けられ、かつ前記板金部材と同種類の金属材料から構成された伝熱部材を備えたことを特徴とする。
【００１０】
また本発明は、上記自動販売機用扉体において、前記伝熱部材は、前記扉本体の前記窓用開口の下縁部に上方に向けて延在するよう設けられており、該下縁部から上方に向けての延在長さは、前記板金部材の該下縁部から上方に向けての延在長さよりも短いことを特徴とする。
【００１１】
また本発明は、上記自動販売機用扉体において、前記扉本体の前記窓用開口の下縁部には、前記面材の下端部を挟み込む態様で支持する支持部材が設けられており、前記伝熱部材は、前記窓用開口の下縁部を構成する断熱材の上面と前記支持部材の下面とに挟み込まれるよう設けられたことを特徴とする。
【発明の効果】
【００１２】
本発明によれば、熱伝導性に優れた材料から構成された伝熱部材が、扉本体の窓用開口の下縁部において、面材よりも前方側であって板金部材の後面から離隔する態様で設けられているので、断熱材等を介して伝達される商品収容庫の冷気（内部雰囲気）の冷熱の一部が伝熱部材にも伝熱し、伝熱部材の前面に結露等が発生し、伝熱部材に伝達した冷熱が板金部材に伝達する虞れがない。そのため、窓用開口の下部の板金部材に伝達する冷熱の量を低減させることができる。従って、窓用開口の下部の前面に結露が生ずることを抑制することができるという効果を奏する。
【図面の簡単な説明】
【００１３】
【図１】図１は、本発明の実施の形態である自動販売機用扉体が適用された自動販売機の内部構造を模式的に示す模式図である。
【図２】図２は、商品ラックを構成する商品収納装置を示す平面図である。
【図３】図３は、商品ラックを構成する商品収納装置を示す側面図である。
【図４】図４は、商品ラックを構成する商品収納装置を示す底面図である。
【図５】図５は、図２〜図４に示したプッシャを後方から見た背面図である。
【図６】図６は、図２〜図４に示した商品収納装置の動作を示す側面図である。
【図７】図７は、図２〜図４に示した商品収納装置の動作を示す側面図である。
【図８】図８は、図１に示した前面扉の要部を模式的に示す縦断面図である。
【発明を実施するための形態】
【００１４】
以下に添付図面を参照して、本発明に係る自動販売機用扉体の好適な実施の形態について詳細に説明する。
【００１５】
図１は、本発明の実施の形態である自動販売機用扉体が適用された自動販売機の内部構造を模式的に示す模式図である。ここで例示する自動販売機は、自動販売機本体である本体キャビネット１を備えている。
【００１６】
本体キャビネット１は、前面に開口（以下、前面開口ともいう）１ａが形成された直方状の筐体であり、その内部に断熱構造の商品収容庫２が形成されている。商品収容庫２には、商品ラック３が上下方向に複数段設けてある。
【００１７】
上記商品収容庫２は、図示せぬ冷却手段等により内部雰囲気が冷却されることで商品ラック３に収納される商品を所望の温度に冷却するものである。この商品収容庫２における商品ラック３の前方域には、商品トレイ４が図示せぬ搬送機構により上下方向に沿って移動可能に設けてある。
【００１８】
商品ラック３は、複数の商品収納装置１０が左右方向に沿って並設されて構成してある。図２〜図４は、それぞれ商品ラック３を構成する商品収納装置１０を示すもので、図２は平面図、図３は側面図、図４は底面図である。尚、これら図２〜図４では、商品収納装置１０の主要な構成要素を実線で示し、その他の構成要素については二点鎖線で示したり、省略したりしている。
【００１９】
商品収納装置１０は、左右両側域に立設された図示せぬ側板間におけるベース１１の上面１１ａにおいて、前後方向に沿って延在する商品収納通路１２を画成するものであり、この商品収納通路１２に商品を起立姿勢で一列に並ぶよう収納している。ここで商品の起立姿勢は、ベース１１の上面１１ａに対して商品の軸心が垂直方向に沿って延在する姿勢のことをいう。
【００２０】
この商品収納装置１０は、スライダ２０と、プッシャ３０と、ストッパ４０とを備えて構成してある。スライダ２０は、商品収納通路１２の下方域において前後方向が長手方向となる長尺状部材であるスライダ基部２０ａに、異形連結孔２１、係合ピン２２、押圧部２３、スライダ噛合部２４が形成されることで構成してある。
【００２１】
異形連結孔２１は、スライダ基部２０ａの略中央領域に形成されており、左右方向が長手方向となる長孔形状を成しており、更に前縁部の中央部分と後縁部の中央部分とが前後方向に拡径した形状を成している。この異形連結孔２１は、拡径孔部２１ａと、この拡径孔部２１ａの右方に連続する右側孔部２１ｂと、拡径孔部２１ａの左方に連続する左側孔部２１ｃとにより構成してある。
【００２２】
かかる異形連結孔２１には、下方より伝達ピン２５が挿通している。この伝達ピン２５は、スライダ２０の下方域に設けられたモータ２６の駆動力をスライダ２０に伝達するもので、円板状の伝達板２５ａの周縁近傍に立設してある。この伝達板２５ａは、モータ２６が駆動する場合に、自身の中心部を中心として回転するものである。
【００２３】
係合ピン２２は、複数（図示の例では２つ）設けてあり、スライダ基部２０ａの後端部と、スライダ基部２０ａの中央領域における異形連結孔２１よりも前方側の個所に設けてある。スライダ基部２０ａの後端部に設けた係合ピン２２（以下、第１係合ピン２２ａともいう）と、スライダ基部２０ａの中央領域における異形連結孔２１よりも前方側の個所に設けた係合ピン２２（以下、第２係合ピン２２ｂともいう）とは、ともにスライダ基部２０ａよりも上方に向けて突出している。
【００２４】
押圧部２３は、スライダ基部２０ａの前端部に形成してある。この押圧部２３の上方域には、アシスト部材５０が設けてある。
【００２５】
アシスト部材５０は、後端部分に形成されたアシスト軸部５１がベース１１に軸支されることでアシスト軸部５１の軸心回りに回動可能なものである。このアシスト部材５０は、アシスト軸部５１より先端側が前方に向かうに連れて上方に湾曲する形状を成しており、その先端部分には、前方に向けて突出する突片５２が形成してある。また、アシスト部材５０は、アシスト軸部５１よりも前方側の下面より下方に向けて突出する図示せぬアシスト突部が形成してある。
【００２６】
このようなアシスト部材５０は、ベース１１の上面１１ａに形成されたアシスト開口１３を通じて商品収納通路１２に進退移動する態様で揺動可能に設けてあり、図２〜図４に示すような待機状態においては、商品収納通路１２から退避移動している。
【００２７】
スライダ噛合部２４は、スライダ基部２０ａの最も前方に形成されており、押圧部２３の前端面の右方側より前方に向けて延在する長尺状部位である。このスライダ噛合部２４の前方側左端部にはスライダギア２４ａが設けてある。かかるスライダ噛合部２４のスライダギア２４ａの一部は、商品収納通路１２の下方域において回転可能に設けられた円板状の伝達部材６０の外周面の一部に設けられた伝達ギア６０ａと噛み合っている。この伝達部材６０の外周面における伝達ギア６０ａが形成される個所と異なる個所には、連絡ギア６０ｂが形成してある。この連絡ギア６０ｂは、ホルダ７０のホルダギア７０ａと噛み合っている。
【００２８】
ホルダ７０は、商品収納通路１２を構成するベース１１の上面１１ａの前方域に設けてあり、自身も商品収納通路１２を構成するものである。このホルダ７０は、平板状の載置部７１と、この載置部７１の前端部より上方に向けて延在する湾曲状の支持部７２とを有している。
【００２９】
このようなホルダ７０は、載置部７１がベース１１の上面１１ａと略同じ高さレベルに設けてあり、図２〜図４に示すような待機状態、すなわち常態においては、自身も起立した受容姿勢となっており、載置部７１に商品を起立姿勢で保持するものである。ホルダギア７０ａは、ホルダ７０の支持部７２の外面において略螺旋状に配設してある。
【００３０】
プッシャ３０は、商品収納通路１２に設けてある。より詳細に説明すると、プッシャ３０は、図５に示すように、中央突部３１、左側進入片３２及び右側進入片３３を有している。中央突部３１は、プッシャ３０の下部の中央部分より下方に向けて突出する部位である。左側進入片３２は、プッシャ３０の下部の左端部に設けてあり、下方に向けて延在する左側下延部３２ａと、この左側下延部３２ａの延在端部より右方に向けて延在する左側右延部３２ｂとを有している。右側進入片３３は、プッシャ３０の下部の右端部に設けてあり、下方に向けて延在する右側下延部３３ａと、この右側下延部３３ａの延在端部より左方に向けて延在する右側左延部３３ｂとを有している。このようなプッシャ３０は、中央突部３１がベース１１の上面１１ａに前後方向に沿って形成された中央溝部１１ｂに進入し、左側進入片３２がベース１１の左端部において前後方向に沿って形成された左側凹部１１ｃに進入し、右側進入片３３がベース１１の右端部において前後方向に沿って形成された右側凹部１１ｄに進入して、商品収納通路１２に設けてある。
【００３１】
かかるプッシャ３０の下部のうち、ベース１１の上面１１ａに対向する下面には左右一対の突起部３４が設けてある。かかる突起部３４は、前後方向に沿って延在する長尺状部材であり、後方若しくは前方から見た場合に半球状を成している。これら突起部３４の先端部分はベース１１の上面１１ａに接しており、これにより、左側進入片３２の左側右延部３２ｂ及び右側進入片３３の右側左延部３３ｂは、左側凹部１１ｃの底面１１ｃ１及び右側凹部１１ｄの底面１１ｄ１からそれぞれ離隔している。
【００３２】
このようなプッシャ３０は、例えばバネ等の図示せぬ付勢手段により常時前方に向けて付勢されており、商品収納通路１２に収納された商品を前方に向けて押圧するものである。このプッシャ３０には、プッシャ噛合部３５が設けてある。このプッシャ噛合部３５は、左方部位にプッシャギア３５ａが形成してある。
【００３３】
ストッパ４０は、商品収納通路１２の下方域でかつスライダ２０の上方域において、前後方向が長手方向となる長尺状部材であるストッパ基部４０ａに、係合孔４１、ガイド孔４２、ストッパ噛合部４３が形成されることで構成してある。
【００３４】
係合孔４１は、複数（図示の例では２つ）設けてあり、ストッパ基部４０ａの後端部と、ストッパ基部４０ａの前端部とに設けてある。ストッパ基部４０ａの後端部に設けられた係合孔４１（以下、第１係合孔４１ａともいう）と、ストッパ基部４０ａの前端部に設けられた係合孔４１（以下、第２係合孔４１ｂともいう）とは、ともに同じ形状を成しており、前後方向が長手方向となる第１長孔部４１ａ１，４１ｂ１と、この第１長孔部４１ａ１，４１ｂ１の前端より左方に向けて傾斜する傾斜孔部４１ａ２，４１ｂ２と、傾斜孔部４１ａ２，４１ｂ２の前端より前方に向けて延在する第２長孔部４１ａ３，４１ｂ３とが連続して形成されて構成してある。そして、第１係合孔４１ａには、第１係合ピン２２ａが挿通しており、第２係合孔４１ｂには、第２係合ピン２２ｂが挿通している。
【００３５】
そして、図２〜図４に示すような待機状態においては、第１係合ピン２２ａが第１係合孔４１ａの第１長孔部４１ａ１の前端位置を挿通しており、第２係合ピン２２ｂが第２係合孔４１ｂの第１長孔部４１ｂ１の前端位置を挿通している。
【００３６】
ガイド孔４２は、ストッパ基部４０ａの第２係合孔４１ｂよりも前方側の個所に設けてあり、平行四辺形状を成している。このガイド孔４２には、ベース１１に設けられた２つのガイド突起（図示せず）が挿通している。これら２つのガイド突起は、ガイド孔４２の前縁部と後縁部とに摺接可能に挿通している。そして、ガイド突起は、図２〜図４に示すような待機状態においては、それぞれの右端部がガイド孔４２の右縁部に当接している。また、ガイド孔４２の傾斜角であるが、第１係合孔４１ａ及び第２係合孔４１ｂの傾斜孔部４１ａ２，４１ｂ２の傾斜角と略同じである。
【００３７】
ストッパ噛合部４３は、ストッパ基部４０ａの右端部にストッパ基部４０ａの全長に亘って設けてあり、ストッパ基部４０ａの右端部に設けられたストッパギア４３ａにより構成してある。そして、図２〜図４に示すような待機状態においては、ストッパ噛合部４３は、プッシャ噛合部３５から離隔しており、ストッパギア４３ａとプッシャギア３５ａとは噛み合っていない。つまり、ストッパ噛合部４３は、プッシャ噛合部３５と非噛合状態となっている。
【００３８】
ここで商品収納装置１０の動作について先に説明する。商品収納装置１０は、商品トレイ４が商品収納通路１２の前方域に配置された状態で駆動指令（払出指令）が与えられると次のように動作する。
【００３９】
モータ２６の駆動により、伝達板２５ａの中心部を中心として図２において時計回りに回転する伝達ピン２５は、異形連結孔２１の拡径孔部２１ａから右側孔部２１ｂに進入し、右側孔部２１ｂの前縁部を押圧する。これにより、スライダ２０は前方に向けてスライド移動する。
【００４０】
このようにスライダ２０が前方に向けてスライド移動することにより、スライダ２０の第１係合ピン２２ａは、第１係合孔４１ａを移動することで第１長孔部４１ａ１から傾斜孔部４１ａ２を通過して傾斜孔部４１ａ２の前端位置に至り、第２係合ピン２２ｂは、第２係合孔４１ｂを移動することで第１長孔部４１ｂ１から傾斜孔部４１ｂ２を通過して傾斜孔部４１ｂ２の前端位置に至る。これにより、ストッパ４０は、傾斜孔部４１ａ２，４１ｂ２の傾斜に応じて右斜め後方に変位する。この際、ベース１１のガイド突起は、ガイド孔４２の前縁部と後縁部に摺接しながら相対的に左斜め前方に変位する。
【００４１】
このようにしてストッパ４０が左斜め後方に変位することで、ストッパ噛合部４３がプッシャ噛合部３５に近接し、ストッパギア４３ａがプッシャギア３５ａと噛み合う噛合状態になる。これにより、プッシャ３０は、付勢手段に付勢されることによる前方への移動が規制され、この結果、プッシャ３０による商品に対する前方への押圧が規制される。
【００４２】
また、スライダ２０が前方に向けてスライド移動することにより、スライダ噛合部２４が前方にスライド移動し、これによりスライダギア２４ａと伝達ギア６０ａが噛み合う伝達部材６０は、下方から見て反時計回りに回転する。このように伝達部材６０が時計回りに回転することで、該伝達部材６０の連絡ギア６０ｂとホルダギア７０ａが噛み合うホルダ７０は、図６に示すように、ホルダギア７０ａの配設形態に従って回動し、左斜め前方に向けてやや傾斜した姿勢となる。この際、ホルダ７０に保持される最前商品も同様に軸心が左右に傾斜した姿勢となる。
【００４３】
更に、スライダ２０が前方に向けてスライド移動することにより、押圧部２３の一部がアシスト突部に当接することで、アシスト部材５０は、アシスト軸部５１の軸心回りに上方に向けて揺動し、先端部分がアシスト開口１３を通じて商品収納通路１２に進出移動する。
【００４４】
そして、モータ２６の駆動により、伝達ピン２５が異形連結孔２１の右側孔部２１ｂから拡径孔部２１ａに進入し、拡径孔部２１ａの前縁部を押圧すると、スライダ２０は更に前方に向けてスライド移動する。
【００４５】
このようにスライダ２０が前方に向けて更にスライド移動することにより、スライダ２０の第１係合ピン２２ａは、第１係合孔４１ａを移動することで傾斜孔部４１ａ２から第２長孔部４１ａ３を通過して第２長孔部４１ａ３の前端位置に至り、第２係合ピン２２ｂは、第２係合孔４１ｂを移動することで傾斜孔部４１ｂ２から第２長孔部４１ｂ３を通過して第２長孔部４１ｂ３の前端位置に至る。これにより、ストッパ４０は、傾斜孔部４１ａ２，４１ｂ２の傾斜に応じて右斜め後方に更に変位する。この際、ベース１１のガイド突起は、ガイド孔４２の前縁部と後縁部に摺接しながら相対的に左斜め前方に更に変位する。
【００４６】
このようにしてストッパ４０が左斜め後方に更に変位することで、ストッパ噛合部４３がプッシャ噛合部３５により近接し、ストッパギア４３ａがプッシャギア３５ａと噛み合う噛合状態がより強固に保持される。
【００４７】
また、スライダ２０が前方に向けて更にスライド移動することにより、スライダ噛合部２４が前方にスライド移動し、これによりスライダギア２４ａと伝達ギア６０ａが噛み合う伝達部材６０は、下方から見て反時計回りに更に回転する。このように伝達部材６０が更に回転することで、該伝達部材６０の連絡ギア６０ｂとホルダギア７０ａが噛み合うホルダ７０は、図７に示すように、ホルダギア７０ａの配設形態に従って回動し、左斜め前方に向けてより傾斜した傾倒姿勢となる。このようにホルダ７０が傾倒姿勢となることで前方域に払い出されることになる。このようにして前方域に払い出された商品は、商品トレイ４に受容される。
【００４８】
その後、モータ２６の駆動により、伝達ピン２５が異形連結孔２１の拡径孔部２１ａから左側孔部２１ｃに進入し、左側孔部２１ｃの後縁部を押圧すると、スライダ２０は後方に向けてスライド移動する。
【００４９】
このようにスライダ２０が後方に向けてスライド移動することにより、スライダ２０の第１係合ピン２２ａは、第１係合孔４１ａを移動することで第２長孔部４１ａ３を通過して第２長孔部４１ａ３の後端位置に至り、第２係合ピン２２ｂは、第２係合孔４１ｂを移動することで第２長孔部４１ｂ３を通過して第２長孔部４１ｂ３の後端位置に至る。
【００５０】
また、スライダ２０が後方に向けてスライド移動することにより、スライダ噛合部２４が後方にスライド移動し、これによりスライダギア２４ａと伝達ギア６０ａが噛み合う伝達部材６０は、下方から見て時計回りに回転する。このように伝達部材６０が回転することで、該伝達部材６０の連絡ギア６０ｂとホルダギア７０ａが噛み合うホルダ７０は、ホルダギア７０ａの配設形態に従って、右斜め後方に向けて回動する。
【００５１】
更に、スライダ２０が後方に向けてスライド移動することにより、押圧部２３に当接するアシスト部材５０は、アシスト軸部５１の軸心回りに下方に向けて揺動し、先端部分がアシスト開口１３を通じて商品収納通路１２に退避移動する。
【００５２】
そして、モータ２６の駆動により、伝達ピン２５が左側孔部２１ｃの後縁部を押圧しながら拡径孔部２１ａに至り、拡径孔部２１ａの後縁部を押圧することで、スライダ２０は、後方に向けて更にスライド移動して図２〜図４に示すような待機状態に戻る。
【００５３】
このようにスライダ２０が待機状態に戻る過程において、第１係合ピン２２ａが第１係合孔４１ａの傾斜孔部４１ａ２を通過し、かつ第２係合ピン２２ｂが第２係合孔４１ｂの傾斜孔部４１ｂ２を通過することで、ストッパ４０は、傾斜孔部４１ａ２，４１ｂ２の傾斜に応じて左斜め前方に変位する。これにより、ストッパ噛合部４３がプッシャ噛合部３５から離隔して両者は非噛合状態となる。これにより、プッシャ３０は、付勢手段の付勢力により前方に向けて商品を押圧する。この結果、払い出された商品の後方に隣接した商品が最前商品として受容姿勢となるホルダ７０に受容されることとなる。
【００５４】
図１に示すように、上記本体キャビネット１には、前面扉（自動販売機用扉体）８０が設けてある。前面扉８０は、本体キャビネット１の前面開口１ａを開閉するものであり、本体キャビネット１の前方側の一側縁部に、上下方向に沿って延在する軸（図示せず）の中心軸回りに揺動可能に設けてある。この前面扉８０は、図８に示すように、扉本体８１、面材８２及び伝熱部材８３を備えて構成してある。
【００５５】
扉本体８１は、断熱ボード（断熱材）８１１と板金部材８１２とを備えて構成してある。断熱ボード８１１は、本体キャビネット１の前面開口１ａを覆うのに十分な大きさを有する平板状のものである。板金部材８１２は、金属材料から構成した薄板状のものであり、断熱ボード８１１の前面を覆うように設けられている。
【００５６】
このような構成を有する扉本体８１は、図１に示すように、商品取出口８４及び窓用開口８５を有している。
【００５７】
商品取出口８４は、扉本体８１の下部に設けた矩形状開口である。この商品取出口８４は、該扉本体８１に設けられた商品取出扉８６により開閉されるものである。かかる商品取出口８４は、商品トレイ４により下方に向けて搬送されてきた商品を取り出すための開口である。
【００５８】
窓用開口８５は、前面開口１ａを閉塞する場合に商品収容庫２に対向する部分に形成された矩形状開口である。
【００５９】
面材８２は、例えば断熱ガラス等の透明な断熱材料から形成されたものであり、矩形状の形態を成している。このような面材８２は、各端部（上端部、下端部及び左右両端部）が、扉本体８１の窓用開口８５の上縁部、下縁部及び左右両縁部に設けられた支持部材８７に挟み込まれることにより、該窓用開口８５を閉塞する態様で扉本体８１に設けてある。かかる面材８２により、前面扉８０は、前面開口１ａを閉塞する場合にも、該面材８２を介して商品収容庫２を外部より視認可能にしている。
【００６０】
伝熱部材８３は、熱伝導性に優れた材料により構成されたもので、本実施の形態では、板金部材８１２と同種類の金属材料から構成されており、扉本体８１の窓用開口８５の下縁部８５ａに設けてある。
【００６１】
この伝熱部材８３は、伝熱基部８３１と伝熱上延部８３２とを有している。伝熱基部８３１は、平板状部位であり、断熱ボード８１１の下縁部８５ａの上面に設けてある。より詳細には、断熱ボード８１１の下縁部８５ａの上面と支持部材８７の下面とに挟み込まれるように設けてある。伝熱上延部８３２は、伝熱基部８３１の前端縁部より上方に向けて延在する平板状部位である。この伝熱上延部８３２は、面材８２よりも前方側であって板金部材８１２よりも後方側に設けてあり、該板金部材８１２の後面から離隔している。また、伝熱上延部８３２は、窓用開口８５の下縁部８５ａから上方に向けての延在長さが、板金部材８１２の該下縁部８５ａから上方に向けての延在長さよりも短い。
【００６２】
以上のような構成を有する前面扉８０においては、板金部材８１２と同種類の金属材料から構成される伝熱部材８３が、扉本体８１の窓用開口８５の下縁部８５ａに、面材８２よりも前方側であって板金部材８１２の後面から離隔する態様で設けてあるので、断熱ボード８１１等を介して伝達される商品収容庫２の冷気（内部雰囲気）の冷熱の一部が伝熱部材８３にも伝熱し、伝熱部材８３の前面に結露等が発生し、伝熱部材８３に伝達した冷熱が板金部材８１２に伝達する虞れがない。そのため、窓用開口８５の下部の板金部材８１２に伝達する冷熱の量を低減させることができる。
【００６３】
従って、上記前面扉８０によれば、窓用開口８５の下部の前面に結露が生ずることを抑制することができる。
【００６４】
上記前面扉８０によれば、伝熱部材８３は、扉本体８１の窓用開口８５の下縁部８５ａに上方に向けて延在する伝熱上延部８３２を有しており、伝熱上延部８３２の下縁部８５ａから上方に向けての延在長さは、板金部材８１２の該下縁部８５ａから上方に向けての延在長さよりも短いので、前面扉８０を正面から見た場合に、伝熱部材８３が板金部材８１２から露出してしまう虞れがない。
【００６５】
このような前面扉８０が設けられた自動販売機の商品収納装置１０においては、プッシャ３０の突起部３４がベース１１の上面１１ａに接することにより、左側進入片３２の左側右延部３２ｂ及び右側進入片３３の右側左延部３３ｂは、左側凹部１１ｃの底面１１ｃ１及び右側凹部１１ｄの底面１１ｄ１からそれぞれ離隔しているので、これら底面１１ｃ１，１１ｄ１に塵埃物が存在してもプッシャ３０に対する摺動抵抗を増大させることがなく、これによりプッシャ３０の商品に対する押出力を維持することができる。尚、突起部３４がベース１１の上面１１ａに接することになるが、ベース１１の上面１１ａは容易に清掃が可能なので、塵埃物を容易に取り除くことで摺動抵抗の増大化を抑制できる。
【００６６】
以上、本発明の好適な実施の形態について説明したが、本発明はこれに限定されるものではなく、種々の変更を行うことができる。
【００６７】
上述した実施の形態では、伝熱部材８３は、板金部材８１２と同種の金属材料から構成されるものであったが、本発明においては、伝熱部材は、伝熱性に優れた材料から構成されていれば、板金部材と同一の材料である必要はない。
【符号の説明】
【００６８】
１  本体キャビネット
１ａ  前面開口
２  商品収容庫
１０  商品収納装置
２０  スライダ
３０  プッシャ
４０  ストッパ
７０  ホルダ
８０  前面扉
８１  扉本体
８１１  断熱ボード（断熱材）
８１２  板金部材
８２  面材
８３  伝熱部材
８３１  伝熱基部
８３２  伝熱上延部
８４  商品取出口
８５  窓用開口
８７  支持部材
【図１】
0006620459.tif 000002
【図２】
0006620459.tif 000003
【図３】
0006620459.tif 000004
【図４】
0006620459.tif 000005
【図５】
0006620459.tif 000006
【図６】
0006620459.tif 000007
【図７】
0006620459.tif 000008
【図８】
0006620459.tif 000009